(57)【要約】【課題】単セルと多孔質材から成る集電体の間に、集電体に対して異極側となる部分が存在する場合に、良好な絶縁性と多孔質材から成る集電体による機能の両立を達成することができる固体電解質型燃料電池を提供する。【解決手段】単セル１とカソード側集電体４の間に、単セル１の一部を支持する異極側のセル支持部５と、セル支持部５とカソード側集電体４の間を絶縁する絶縁層６と、絶縁層６の集電体側の面を覆う保護層７を備えた構成とし、絶縁層６及び保護層８によってカソード側集電体４とセル支持部５の間の短絡を阻止すると共に、カソード側集電体４を単セル１のほぼ全面に対して配置することで、積層時の荷重の均一化や単セル１に対する充分なガス拡散供給機能を実現し、良好な絶縁性と多孔質材から成る集電体による機能の両立を達成した。【選択図】図１
2007157567.tif 000002
【特許請求の範囲】
【請求項１】
発電要素である単セルとセパレータ板の間に多孔質材から成る集電体を介装した構造を有する固体電解質型燃料電池であって、単セルと集電体の間に、単セルの一部を支持するセル支持部と、セル支持部と集電体の間を絶縁する絶縁層と、絶縁層の集電体側の面を覆う保護層を備えたことを特徴とする固体電解質型燃料電池。
【請求項２】
絶縁層が、予めシート状に形成した絶縁膜、あるいはセル支持部及び保護層の少なくとも一方に絶縁材料をコーティングした絶縁膜から成ることを特徴とする請求項１に記載の固体電解質型燃料電池。
【請求項３】
保護層が、金属板及びセラミックス板のいずれか一方から成ることを特徴とする請求項１又は２に記載の固体電解質型燃料電池。
【請求項４】
保護層が、Ｆｅ及びＮｉのいずれか一方を主成分とし、この主成分に、Ｃｒを含有する耐熱金属、Ｐｔ、Ｎｉ及びＡｇのうちの少なくとも１つを含む材料から成ることを特徴とする請求項１又は２に記載の固体電解質型燃料電池。
【請求項５】
保護層が、アルミナ、ジルコニア、マイカ、ムライト及びマセライトのうちのいずれか１つの材料から成ることを特徴とする請求項１又は２に記載の固体電解質型燃料電池。
【請求項６】
保護層が、集電体と電気的に接続していると共に、発電要素と集電体の間から外方に延出した延長部を電圧取り出し用端子としていることを特徴とする請求項１，２及び４のいずれか１項に記載の固体電解質型燃料電池。
【請求項７】
電圧取り出し用端子が、貴金属材料でコーティングしてあることを特徴とする請求項６に記載の固体電解質型燃料電池。
【請求項８】
保護層が、発電要素と集電体の間から外方に延出した延長部を有すると共に、延長部の少なくとも末端部に絶縁処理が施してあることを特徴とする請求項１，２及び５のいずれか１項に記載の固体電解質型燃料電池。
【請求項９】
請求項１〜８のいずれか１項に記載の固体電解質型燃料電池を積層して成る燃料電池スタック構造体であって、単セルと、単セルの一方の面に配置した集電体と、集電体を覆うセパレータ板とでセルユニットを構成すると共に、セルユニットと単セルの他方の面に配置する層間集電体とを交互に積層することで、セルユニットの単セルとこれに隣接するセルユニットのセパレータ板の間に層間集電体を介装した構造を有し、セル支持部が、セパレータ板と一体化され且つ単セルの他方の面の一部を支持すると共に、絶縁層及び保護層が、セル支持部と層間集電体の間に設けてあることを特徴とする燃料電池スタック構造体。
【発明の詳細な説明】
【技術分野】
【０００１】
本発明は、固体電解質を用い、電気化学反応により電気エネルギーを得る固体電解質型燃料電池に関するものである。
【背景技術】
【０００２】
一般に、固体電解質型燃料電池は、電解質層を燃料極層及び空気極層で挟持して発電要素である単セルを構成し、この単セルとガス流路を形成するセパレータ板とを交互に積層した構造を有している。また、従来の固体電解質型燃料電池としては、単セルとセパレータ板の間に、Ｎｉフェルト等の導電性多孔質材から成る集電体を介装し、この集電体によりガス流路を形成したものがあった（特許文献１）。
【０００３】
上記したような固体電解質型燃料電池において、金属繊維を用いたフェルト状の集電体は、ガス流路としての通気性を有するだけでなく、層の厚さ方向にクッション性を有することから、単セルやセパレータ板に対する接触を均一にして接触面積の拡大や長期的な安定性を実現することができ、また、製造が容易で且つ軽量であるなどの利点がある。
【特許文献１】特開２００３−８６２０４号公報
【発明の開示】
【発明が解決しようとする課題】
【０００４】
ところで、上記したような固体電解質型燃料電池は、性能向上を図るために様々な構造を有するものが研究開発されており、この際、発電機能を高めることだけでなく、小型軽量化や低熱容量化を実現するために薄型化することも重要であり、また、薄型化に伴って積層時の圧力や熱により変形が生じやすくなることから、燃料ガスと酸化ガスの間のシール性や電極間の絶縁性を充分に確保することも非常に重要になっている。
【０００５】
このような状況において、近年、固体電解質型燃料電池には、セパレータ板によって単セルの一方の面側に燃料ガス（又は酸化ガス）の流路となる閉塞空間を形成し、セパレータ板の外部である単セルの他方の面側に酸化ガス（又は燃料ガス）を流通させることで、ガスシール性を高めるようにしたものが開発されており、このような構造では、セパレータ板の外側において、単セルの他方の面と多孔質材から成る集電体の間に、集電体に対して異極側となる部分が存在する場合がある。
【０００６】
そこで、集電体と異極側部分の間に絶縁層を設けることとなるが、燃料電池の軽量化や薄型化を図るためには上記の絶縁層も極力薄肉にすることが望ましく、このような絶縁層を有する構造において金属繊維を用いたフェルト状の集電体を用いると、燃料電池を多段に積層した際に、金属繊維が絶縁層を貫通して集電体と異極側部分とが短絡する恐れがあるという問題点があった。
【０００７】
また、上記の短絡を防ぐために、異極側部分を回避するように集電体を配置すると、燃料電池を積層した際の荷重の均一性が損なわれるうえに、セパレータ板の外側において集電体の無い部分に酸化ガスが流れやすくなり、これにより単セルへのガス供給量が不充分になるという問題点があり、これらの問題点を解決することが課題となっていた。
【０００８】
本発明は、上記従来の課題に着目して成されたものであって、単セルと多孔質材から成る集電体の間に、集電体に対して異極側となる部分が存在する場合に、良好な絶縁性と多孔質材から成る集電体による機能の両立を達成することができる固体電解質型燃料電池を提供することを目的としている。
【課題を解決するための手段】
【０００９】
本発明の固体電解質型燃料電池は、発電要素である単セルとセパレータ板の間に、金属繊維から成るフェルト等の導電性多孔質材から成る集電体を介装した構造を有するものである。そして、単セルと集電体の間に、単セルの一部を支持するセル支持部と、セル支持部と集電体の間を絶縁する絶縁層と、絶縁層の集電体側の面を覆う金属製やセラミックス製の保護層を備えた構成としており、上記構成をもって従来の課題を解決するための手段としている。
【００１０】
また、上記の固体電解質型燃料電池は、多段に積層することで燃料電池スタック構造体を構成することができる。この場合、単セルと、単セルの一方の面に配置した集電体と、集電体を覆うセパレータ板とでセルユニットを構成すると共に、このセルユニットと単セルの他方の面に配置する層間集電体とを交互に積層することで、セルユニットの単セルとこれに隣接するセルユニットのセパレータ板の間に層間集電体を介装した構造を有するものとなる。なお、層間集電体とセパレータ板の間にも絶縁体を設ける。
【００１１】
上記の燃料電池スタック構造体では、セパレータ板に、単セルの他方の面の一部を支持するセル支持部が一体的に設けてある。このとき、セル支持部を含むセパレータ板は一方の電極側の構成部位であり、これに対して、層間集電体は他方の電極側の構成部位であるから、単セルの他方の面と層間集電体の間には、層間集電体に対して異極側部分となるセル支持部が介在している状態になる。
【００１２】
そこで、上記の燃料電池スタック構造体においては、セル支持部と層間集電体の間に、セル支持部と集電体の間を絶縁する絶縁層と、絶縁層の層間集電体側の面を覆う保護層を設けることとなる。
【発明の効果】
【００１３】
本発明の固体電解質型燃料電池によれば、単セルと多孔質材から成る集電体の間に、集電体に対して異極側となる部分が存在する場合に、絶縁層及び保護層によって集電体と異極側部分の間の短絡を阻止することができると共に、多孔質材から成る集電体を単セルのほぼ全面に対して配置することで、燃料電池を積層した際の荷重の均一化や単セルに対する充分なガス拡散供給機能を実現することができ、良好な絶縁性と多孔質材から成る集電体による機能の両立を達成することができる。
【発明を実施するための最良の形態】
【００１４】
本発明の固体電解質型燃料電池は、図１に一実施形態を示すように、発電要素である単セル１と、単セル１の一方の面（燃料極である上面）に配置したアノード側集電体２と、アノード側集電体２を覆うセパレータ板３とでセルユニットＣＵを構成している。なお、図１は、固体電解質型燃料電池の片側を省略し且つ分解状態にした断面説明図であって、図の右側が電池中心側である。
【００１５】
そして、固体電解質型燃料電池は、セルユニットＣＵと単セル１の他方の面（空気極である下面）に配置するカソード側集電体（層間集電体）４を一組とし、セルユニットＣＵとカソード側集電体４を交互に積層して燃料電池スタック構造体を構成する。この際、カソード側集電体４とこれに隣接する別のセルユニットＣＵのセパレータ板３との間には、図示しない絶縁体を介装する。
【００１６】
単セル１は、電解質層を燃料極層及び空気極層で挟持した周知の構造を有するものである。アノード側及びカソード側の集電体２，４は、例えば、導電性を有する金属繊維をフェルト状に形成した多孔質材から成るものであって、厚さ方向にばね性を有しており、このばね性により、積層状態において単セル１やセパレータ板３に対する均一な接触性を長期にわたって維持することができる。
【００１７】
セパレータ板３は、金属製であって、単セル１の一方の面（燃料極側の面）を覆う本体部３Ａと、単セル１の他方の面（空気極側の面）の一部を支持するセル板３Ｂを備えると共に、本体部３Ａとセル板３Ｂの外周端部同士を溶接等により気密的に接合して、その内側に燃料ガスの流通空間を形成しており、この流通空間にアノード側集電体２が収容してある。
【００１８】
ここで、図示のセパレータ板３は、ドーナツ状を成しており、図２に示すように同じくドーナツ状の単セル１を同心状に配置する場合や、図３に示すように円形の複数の単セル１を周方向に所定間隔で配置する場合がある。
【００１９】
このため、セル板３Ｂは、図２に示すように内側と外側に分割した構成として単セル１の他方の面の内周縁部及び外周縁部を支持するセル支持部５を設けたものや、図３に示すように各単セル１の他方の面の外周縁部を支持するセル支持部５を設けたものがあり、いずれの場合も単セル１をその空気極側の面が露出する状態に支持している。
【００２０】
上記の構成において、固体電解質型燃料電池では、セルユニットＣＵを構成する単セル１と別のセルユニットＣＵを構成するセパレータ板３との間に、多孔質材から成るカソード側集電体（層間集電体）４が介装してあると共に、単セル１とカソード側集電体４の間に、カソード側集電体４とは異極側であるセル支持部５が介在することとなる。
【００２１】
そこで、固体電解質型燃料電池では、単セル１とカソード側集電体４の間に、セル支持部５とカソード側集電体４の間を絶縁する絶縁層６と、絶縁層６の集電体側の面を覆う保護層７を備えている。
【００２２】
これにより、固体電解質型燃料電池では、小型軽量化や低熱容量化などを図る手段の一つとして絶縁層６を極めて薄い層にしても、保護層７があるので、カソード側集電体４を構成する金属繊維が絶縁層６を貫通することがなく、絶縁層６及び保護層７によってカソード側集電体４と異極側部分であるセル支持部５の間の短絡を阻止することができる。
【００２３】
また、固体電解質型燃料電池は、先述の如く多段に積層して燃料電池スタック構造体を形成し、実際の燃料電池システムにおいては、燃料電池スタック構造体を容器に収容し、セパレータ板３の内部に燃料ガスを供給すると共に、容器内に酸化ガス（空気）を供給することで、単セル１で電気化学反応を生じさせて電気エネルギーを得ることとなるが、この際、上記の絶縁層６及び保護層７を設けたことで、単セル１に対する充分なガス拡散供給機能や積層時の荷重の均一化を実現することができる。
【００２４】
つまり、カソード側集電体４と異極側部分であるセル支持部５の間の短絡を防止するには、セル支持部５を回避するようにしてカソード側集電体４を配置することが考えられるが、この場合、上述したように燃料電池スタック構造体を容器に収容して同容器内に酸化ガスを流通させると、カソード側集電体４の無い部分に酸化ガスの流れが集中し、単セル１に対する酸化ガスの供給が不充分になり、また、積層時の荷重も不均一となる。
【００２５】
これに対して、当該固体電解質型燃料電池では、絶縁層６及び保護層７によりカソード側集電体４とセル支持部５の間の短絡を阻止することから、セル支持部５に左右されることなく、単セル１の全面に対してカソード側集電体４を配置することで、単セル１に対する充分なガス拡散供給機能を得ることができ、また、積層した際の荷重の均一化を実現することができる。
【００２６】
上記構成において、絶縁層６は、予めシート状に形成した絶縁膜、あるいはセル支持部５及び保護層７の少なくとも一方に絶縁材料をコーティングした絶縁膜から成るものとすることができ、例えば１００μｍ以下程度の厚さで充分な絶縁性を得ることができる。
【００２７】
また、とくに、単セル１を構成する電解質層に固体酸化物を用いた燃料電池では、作動温度が６００℃程度に達することから、絶縁層６には高温の作動温度に耐え得る耐熱性材料を用いるのが望ましく、具体的にはセラミックス材料を用いる。このセラミックス製の絶縁層６は、セル支持部５又は保護層７に絶縁材料をコーティングした絶縁膜とする場合には、スパッタなどのＰＶＤ法により形成することができる。
【００２８】
保護層７は、金属板及びセラミックス板のいずれか一方から成るものとし、これによりカソード側集電体４を構成する金属繊維が薄い絶縁層６を貫通するのを確実に阻止することができる。
【００２９】
上記の保護層７は、金属板とした場合には、カソード側集電体４と電気的に接続することとなるので、単セル１（セルユニットＣＵ）とカソード側集電体４の間から外方に延出した延長部を一体的に設けて、この延長部を電圧取り出し端子とすることができ、各セルユニットＣＵ間の端子電圧をモニタリングすることが可能となる。
【００３０】
また、保護層７は、金属板とする場合には、その材料として、Ｆｅ及びＮｉのいずれか一方を主成分とし、この主成分に、Ｃｒを含有する耐熱金属、Ｐｔ、Ｎｉ及びＡｇのうちの少なくとも１つを含むものを用いるのがより望ましく、これにより耐酸化性や低抵抗化を図ることができる。
【００３１】
さらに、保護層７の延長部を電圧取り出し端子として使用する場合には、少なくとも端子表面を貴金属材料でコーティングすることも有効であり、これにより耐酸化性を確保することができると共に、カソード側集電体４との接触抵抗を低減させることができる。なお、保護層７には、Ｐｔなどのバルク体を用いても良く、また、貴金属材料のコーティング方法は湿式でも乾式でも良い。
【００３２】
さらに、保護層７は、セラミックス板とする場合には、高温においても絶縁性を示し且つ構造上割れ難いように曲げ強度の大きな材料を選択する必要があり、具体的には、アルミナ、ジルコニア、マイカ、ムライト及びマセライトのうちのいずれか１つの材料を用いるのがより望ましく、これにより、絶縁層６とともにセル支持部５とカソード側集電体４の間の絶縁性をより確実に得ることができる。
【００３３】
さらに、保護層７は、金属板であり且つ延長部を有する場合、延長部の少なくとも末端部に絶縁処理を施すことができる。すなわち、当該固体電解質型燃料電池は、先述したように燃料電池スタック構造体を構成し、さらに、燃料電池システムにおいて、容器に収容される。この際、固体電解質型燃料電池は、その外周端部を容器内面に接触させることで、同容器との間に酸化ガス（空気）の流路を形成する。
【００３４】
このとき、保護層７の延長部の末端部つまり容器との接触部分に絶縁処理を施すことにより、保護層７と容器の間を絶縁することができる。この場合の絶縁処理としては、バルクの絶縁材を組み込むか、スパッタなどのＰＶＤ法によって絶縁薄膜を形成することが挙げられる。
【００３５】
なお、保護層７の延長部において、電圧取り出し端子を設けることと絶縁処理を施すことは電気的に相反することになるが、延長部に電圧取り出し端子と絶縁処理の両方を設けることもできる。具体的には、延長部の外周端部の大半に絶縁処理を施すと共に、延長部の一部を容器に接しないように適宜曲成するなどして、この一部を電圧取り出し端子として用いるようにすることができる。
【実施例】
【００３６】
以下、図面に基いて、本発明の固体電解質型燃料電池の実施例を説明する。なお、図１に示す実施形態と同一の構成部位は、同一符号を付して詳細な説明を省略する。また、本発明の固体電解質型燃料電池は以下の実施例に限定されるものではない。
【００３７】
図４に示す固体電解質型燃料電池は、発電要素である単セル１と、金属繊維をフェルト状に形成した導電性多孔質材から成り且つ単セル１の燃料極側の面に配置したアノード側集電体２と、アノード側集電体２を覆う金属製のセパレータ板３とでセルユニットＣＵを構成し、セパレータ板３が、本体部３Ａとセル板３Ｂを備えていると共に、セル板３Ｂが、単セル１における空気極側の面の縁部を支持するセル支持部５を有している。
【００３８】
したがって、固体電解質型燃料電池は、セルユニットＣＵの単セル１と、金属繊維をフェルト状に形成した導電性多孔質材から成るカソード側集電体（層間集電体）４の間に、カソード側集電体４に対して異極側となる金属製のセル支持部５が介在したものとなっている、
【００３９】
そこで、固体電解質型燃料電池は、セル支持部５を覆うセラミックス製の絶縁層６と、絶縁層６の集電体側の面を覆う金属製の保護層７を備えている。なお、実際の組立時には、セル支持部５に絶縁層６が接触した状態となる。
【００４０】
また、この実施例では、図示する断面において、絶縁層６及び保護層７が、平板状を成すと共に、セルユニットＣＵの外周端部からセル支持部５の内周端部に至る幅を有しており、これによりカソード側集電体４を構成する金属繊維が絶縁層６を貫通するような事態を阻止して、セル支持部５とカソード側集電体４の間の短絡を防止している。
【００４１】
また、絶縁層６及び保護層７による絶縁性の確保に伴って、単セル１の全面に対してカソード側集電体４を配置することができ、これにより積層時における負荷の均一化や、単セル１に対する酸化ガス（空気）の充分な拡散供給機能を実現することができる。
【００４２】
なお、絶縁層６は、予めシート状に形成した絶縁膜、あるいはセル支持部５及び保護層７の少なくとも一方に対して絶縁材料をコーティングした絶縁膜とすることができ、コーティングで形成した場合には、絶縁層６を極めて薄く形成することが可能であって、高密度集積に適したものとなる。
【００４３】
図５に示す固体電解質型燃料電池は、基本的構成は図４に示すものと同じであるが、絶縁層６の内周端部が、セル支持部５の内周端部よりも長く延出している。なお、実際の組立時には、セル支持部５に絶縁層６が接触した状態になる。
【００４４】
これにより、固体電解質型燃料電池は、先の実施例と同様に、セル支持部５とカソード側集電体４の間の短絡阻止機能や、単セル１の全面に対応したカソード側集電体４による負荷の均一化及び酸化ガスの拡散供給機能を得ることができ、しかも、絶縁層６の内周側の延出部分によって絶縁性を一層高めることができる。
【００４５】
図６に示す固体電解質型燃料電池は、基本的構成は図４に示すものと同じであるが、絶縁層６及び保護層７の外周端部がセルユニットＣＵの外周端部よりも長く延出している。なお、実際の組立時には、セル支持部５に絶縁層６が接触した状態になる。
【００４６】
これにより、固体電解質型燃料電池は、先の実施例と同様に、セル支持部５とカソード側集電体４の間の短絡阻止機能や、単セル１の全面に対応したカソード側集電体４による負荷の均一化及び酸化ガスの拡散供給機能を得ることができ、しかも、絶縁層６及び保護層７の外周側の延出部分により、絶縁層６及び保護層７が変形したとしても、セパレータ板３と保護層７の接触を防止することができる。
【００４７】
図７に示す固体電解質型燃料電池は、基本的構成は図４に示すものと同じであるが、絶縁層６の内周端部が、セル支持部５の内周端部よりも長く延出していると共に、絶縁層６及び保護層７の外周端部がセルユニットＣＵの外周端部よりも長く延出している。なお、実際の組立時には、セル支持部５に絶縁層６が接触した状態になる。
【００４８】
これにより、固体電解質型燃料電池は、先の実施例と同様に、セル支持部５とカソード側集電体４の間の短絡阻止機能や、単セル１の全面に対応したカソード側集電体４による負荷の均一化及び酸化ガスの拡散供給機能を得ることができ、しかも、絶縁層６の内周側の延出部分により絶縁性を一層高めることができると共に、絶縁層６及び保護層７の外周側の延出部分により、絶縁層６及び保護層７が変形したとしても、セパレータ板３と保護層７の接触を防止することができる。
【００４９】
図８に示す固体電解質型燃料電池は、基本的構成は図４に示すものと同じであるが、絶縁層６及び保護層７が、セルユニットＣＵのセパレータ板３の外面に沿って設けてある。この場合、絶縁層６及び保護層７は、セパレータ板３に各層の材料を順次コーティングすることで形成することができ、先の実施例と同様に、セル支持部５とカソード側集電体４の間の短絡阻止機能や、単セル１の全面に対応したカソード側集電体４による負荷の均一化及び酸化ガスの拡散供給機能を得ることができる。
【００５０】
図９に示す固体電解質型燃料電池は、絶縁層６が、セルユニットＣＵのセパレータ板３の外面に沿って設けてあると共に、保護層７が、カソード側集電体４に直接接合したものとなっている。なお、実際の組立時には、絶縁層６の内周側の部分に保護層７が接触した状態になる。
【００５１】
この場合、固体電解質型燃料電池は、セパレータ板３に絶縁材料をコーティングすることで絶縁層６を形成することができ、先の実施例と同様に、セル支持部５とカソード側集電体４の間の短絡阻止機能や、単セル１の全面に対応したカソード側集電体４による負荷の均一化及び酸化ガスの拡散供給機能を得ることができる。
【００５２】
図１０に示す固体電解質型燃料電池は、基本的構成は図４に示すものと同じであるが、保護層７が、外周側にセルユニットＣＵの外周端部よりも長く延出する延長部７ａを有しており、セルユニットＣＵとカソード側集電体（層間集電体）４を交互に積層して燃料電池スタック構造体を構成している。なお、燃料電池スタック構造体では、カソード側集電体４と図中で下側に隣接するセパレータ板３の間に、図示しない絶縁体を介装する。
【００５３】
そして、この実施例では、保護層７の延出部７ａを電圧取り出し端子としており、この延出部７ａに、ＰＶＤ法によりＰｔをコーティングして耐酸化被膜８を形成している。
【００５４】
この実施例の場合には、各固体電解質型燃料電池において、先の実施例と同様の効果を得ることができるうえに、燃料電池スタック構造体において、セルユニットＣＵ間の端子電圧ΔＶをモニタリングすることが可能となり、また、耐酸化被膜８によって金属製である延出部７ａの酸化を防止し且つ接触抵抗の低減を図ることができる。
【００５５】
図１１に示す固体電解質型燃料電池は、基本的構成は図４に示すものと同じであるが、保護層７が、外周側にセルユニットＣＵの外周端部よりも長く延出する延長部７ａを有しており、セルユニットＣＵとカソード側集電体（層間集電体）４を交互に積層して燃料電池スタック構造体を構成している。なお、燃料電池スタック構造体では、カソード側集電体４と図中で下側に隣接するセパレータ板３の間に、図示しない絶縁体を介装する。
【００５６】
また、燃料電池スタック構造体は、燃料電池システムにおいて金属製の容器９に収容される。このとき、燃料電池スタック構造体は、各固体電解質型燃料電池において、保護層７の外周端部が容器９の内周面に接触して、同容器９との間に酸化ガス（空気）の流路１０を形成することとなるが、金属製の保護層７と金属製の容器９が接触することになるため、保護層７の延長部７ａに絶縁処理すなわち絶縁材料をコーティングすることで絶縁被膜１１が形成してある。
【００５７】
この実施例の場合には、各固体電解質型燃料電池において、先の実施例と同様の効果を得ることができるうえに、燃料電池スタック構造体と容器９の間において、流路１０を形成しつつ保護層７の延出部７ａと容器９の間の充分な絶縁性を確保することができる。
【００５８】
また、保護層７の延長部７ａに対する絶縁処理は、延長部７ａの全周にわたって施すことも可能であるが、延長部７ａの一部を容器９と接しないように適宜切り欠いたり曲成したりして、その一部を図１０に示す電圧取り出し端子とすることも可能である。
【００５９】
なお、本発明の固体電解質型燃料電池及び燃料電池スタック構造体は、その構成が上記各実施例に限定されるものではなく、本発明の要旨を逸脱しない範囲で構成を適宜変更することが可能である。
【図面の簡単な説明】
【００６０】
【図１】本発明の固体電解質型燃料電池の一実施形態を示す片側省略の断面説明図である。
【図２】一つの単セルを備えた固体電解質型燃料電池を説明する片側省略の平面図である。
【図３】複数の単セルを備えた固体電解質型燃料電池を説明する片側省略の平面図である。
【図４】本発明の固体電解質型燃料電池の一実施例を示す片側省略の断面説明図である。
【図５】固体電解質型燃料電池の他の実施例を示す片側省略の断面説明図である。
【図６】固体電解質型燃料電池のさらに他の実施例を示す片側省略の断面説明図である。
【図７】固体電解質型燃料電池のさらに他の実施例を示す片側省略の断面説明図である。
【図８】固体電解質型燃料電池のさらに他の実施例を示す片側省略の断面説明図である。
【図９】固体電解質型燃料電池のさらに他の実施例を示す片側省略の断面説明図である。
【図１０】固体電解質型燃料電池及び燃料電池スタック構造体の一実施例を示す片側省略の断面説明図である。
【図１１】固体電解質型燃料電池及び燃料電池スタック構造体の他の実施例を示す片側省略の断面説明図である。
【符号の説明】
【００６１】
１    単セル
２    アノード側集電体
３    セパレータ板
４    カソード側集電体（層間集電体）
５    セル支持部（異極側部分）
６    絶縁層
７    保護層
７ａ  延長部（電圧取り出し端子）
８    対酸化皮膜
１０  絶縁被膜
【図１】
2007157567.tif 000003
【図２】
2007157567.tif 000004
【図３】
2007157567.tif 000005
【図４】
2007157567.tif 000006
【図５】
2007157567.tif 000007
【図６】
2007157567.tif 000008
【図７】
2007157567.tif 000009
【図８】
2007157567.tif 000010
【図９】
2007157567.tif 000011
【図１０】
2007157567.tif 000012
【図１１】
2007157567.tif 000013